(57)【要約】      （修正有）【課題】複数の作成ＪＯＢによる作成を一括して処理し、作成効率の向上を図る。【解決手段】タグラベルプリンタ３とこれを操作する操作端末２とを有するタグラベル作成システムであって、タグラベルプリンタ３は、印字データを印字する印字ヘッド２０５と、無線通信を介し無線タグ回路素子Ｔｏに書き込みデータを送信して書き込むとともにタグＩＤを読み取る装置側アンテナ２０６とを有する。操作端末２は、複数のアプリケーションプログラムのそれぞれに基づく印字データ及び書き込みデータ及び作成指令ＩＤ含む作成指令を順次受け付けて蓄積し、蓄積した各作成指令ごとにタグ作成コマンドをタグラベルプリンタ３に出力し、タグラベルプリンタ３での作成結果情報を取得し、取得した作成結果情報を対応する作成指令ＩＤと関連づけて記憶する。【選択図】図２
2009294761.tif 000002
【特許請求の範囲】
【請求項１】
情報を記憶するＩＣ回路部、及び、情報を送受信するタグアンテナ、を有する無線タグ回路素子を備えた無線タグラベルを作成するタグラベル作成装置と、前記ラベル作成装置を操作する操作端末とを有するタグラベル作成システムであって、
前記タグラベル作成装置は、
前記無線タグ回路素子を備えたタグ媒体又は前記タグ媒体に貼り合わされる被印字媒体に対し、印字データに対応した印字を行う印字手段と、
無線通信を介し、前記無線タグ回路素子に書き込みデータを送信して前記ＩＣ回路部に書き込むとともに、前記ＩＣ回路部よりタグ識別情報を読み取る情報送受信手段と
を有し、
前記操作端末は、
前記無線タグラベルを作成するための複数のアプリケーションプログラムのそれぞれに基づく、前記印字データ及び前記書き込みデータ及びデータ識別情報を含む複数のラベル作成ＪＯＢを、順次受け付けて蓄積可能なＪＯＢ受付手段と、
前記ＪＯＢ受付手段で蓄積した各ラベル作成ＪＯＢに基づき、対応する前記印字データ及び前記書き込みデータを含むラベル作成指示信号を、前記タグラベル作成装置に出力する指示信号出力手段と、
前記ラベル作成指示信号に対応した前記タグラベル作成装置での作成結果情報を取得する結果情報取得手段と、
前記結果情報取得手段で取得した前記作成結果情報を、対応する前記データ識別情報と関連づけて記憶する結果情報記憶手段と
を有することを特徴とするタグラベル作成システム。
【請求項２】
請求項１記載のタグラベル作成システムにおいて、
前記操作端末は、      
前記アプリケーションプログラムに基づく、対応する前記データ識別情報を含む作成結果問い合わせ信号を入力する問い合わせ信号入力手段と、
前記作成結果問い合わせ信号に含まれる前記データ識別情報をキーとして前記結果情報記憶手段から対応する前記作成結果情報を抽出し、出力する結果情報出力手段と
を有することを特徴とするタグラベル作成システム。
【請求項３】
請求項２記載のタグラベル作成システムにおいて、
前記タグラベル作成装置において前記無線タグラベルの作成に成功した場合には、
前記操作端末は、
前記結果情報取得手段が、
前記情報送受信手段で読み取った前記タグ識別情報を含む作成結果情報を取得し、
前記結果情報記憶手段が、
前記結果情報取得手段で取得した前記タグ識別情報を含む前記作成結果情報を、対応する前記データ識別情報と関連づけて記憶し、
前記結果情報出力手段が、
前記結果情報記憶手段から対応する前記タグ識別情報を含む前記作成結果情報を抽出し、出力する
ことを特徴とするタグラベル作成システム。
【請求項４】
請求項２又は請求項３記載のタグラベル作成システムにおいて、
前記タグラベル作成装置において前記無線タグラベルの作成に失敗した場合には、
前記操作端末は、
前記結果情報取得手段が、
作成失敗を表す作成結果情報を取得し、
前記結果情報記憶手段が、
前記結果情報取得手段で取得した前記作成失敗を表す前記作成結果情報を、対応する前記データ識別情報と関連づけて記憶し、
前記結果情報出力手段が、
前記結果情報記憶手段から対応する前記作成失敗を表す前記作成結果情報を抽出し、出力する
ことを特徴とするタグラベル作成システム。
【請求項５】
請求項１乃至請求項４のいずれか１項記載のタグラベル作成システムにおいて、
前記操作端末は、
各ラベル作成ＪＯＢの前記印字データと前記書き込みデータとを互いに対応づけて格納したデータベースを、複数の前記アプリケーションプログラムのそれぞれごとに有している
ことを特徴とするタグラベル作成システム。
【請求項６】
請求項１乃至請求項５のいずれか１項記載のタグラベル作成システムにおいて、
前記操作端末に備えられる複数の前記アプリケーションプログラムとして、
固定資産管理用アプリケーションプログラム、名札管理用アプリケーションプログラム、文書管理用アプリケーションプログラムのうち、少なくとも１つが含まれる
ことを特徴とするタグラベル作成システム。
【請求項７】
無線通信を介し、情報を記憶するＩＣ回路部、及び、情報を送受信するタグアンテナを有する無線タグ回路素子に書き込みデータを送信して書き込むとともにタグ識別情報を読み取る情報送受信手段と、印字データに対応した印字を行う印字手段とを有するタグラベル作成装置を操作するための操作端末であって、
無線タグラベルを作成するための複数のアプリケーションプログラムのそれぞれに基づく、前記印字データ及び前記書き込みデータ及びデータ識別情報を含む複数のラベル作成ＪＯＢを、順次受け付けて蓄積可能なＪＯＢ受付手段と、
前記ＪＯＢ受付手段で蓄積した各ラベル作成ＪＯＢに基づき、対応する前記印字データ及び前記書き込みデータを含むラベル作成指示信号を、前記タグラベル作成装置に出力する指示信号出力手段と、
前記ラベル作成指示信号に対応した前記タグラベル作成装置での作成結果情報を取得する結果情報取得手段と、
前記結果情報取得手段で取得した前記作成結果情報を、対応する前記データ識別情報と関連づけて記憶する結果情報記憶手段と
を有することを特徴とする操作端末。
【発明の詳細な説明】
【技術分野】
【０００１】
本発明は、外部と情報送受信可能な無線タグラベルを作成するタグラベル作成システム及びこれに用いる操作端末に関する。
【背景技術】
【０００２】
情報を記憶する無線タグ回路素子に対し非接触（コイルを用いる電磁結合方式、電磁誘導方式、あるいは電波方式等）で情報の送受信を行うＲＦＩＤ（Ｒａｄｉｏ  Ｆｒｅｑｕｅｎｃｙ  Ｉｄｅｎｔｉｆｉｃａｔｉｏｎ）システムが知られている。
【０００３】
例えば、このような無線タグ回路素子に対し情報の書き込みを行い無線タグ（ＩＣカードやタグラベル等）の作成を行う作成システムとしては、特許文献１に記載のものが知られている。この従来技術では、操作端末（コンピュータ）と無線タグ作成装置（カード作成装置）とを有している。無線タグ作成装置内にカードが搬入されると、情報送受信手段（ＩＣエンコードユニット）が、カードへ書き込むための書き込みデータ（ＩＤ情報データ）及びこれに対応するタグ識別情報（タグ情報）を、搬入されたカードに書き込む。その後、印字手段（プリントユニット）が印字データ（画像データ）をカードへ印刷し、無線タグを完成する。
【０００４】
このとき、この従来技術においては、操作端末（コンピュータ）が、データを作成するアプリケーションプログラムを備えている。アプリケーションプログラムは、上記印字データと上記書き込みデータとを、対象の無線タグを識別するためのタグ識別情報（タグ情報）によって関連づける。そしてアプリケーションプログラムは、上記印字データ及び上記書き込みデータに対しタグ識別情報を添付し、無線タグ作成装置（カード作成装置）へ送信するとともに、このタグ識別情報を操作端末のメモリ内に格納する。これにより、複数枚の無線タグを無線タグ作成装置内に取り込んで並列に処理した場合でも、操作端末のメモリ内のタグ識別情報を用いてアプリケーションプログラム側もしくはプリンタドライバ側から問い合わせを行うことで、無線タグ作成のエラー発生時の対応を円滑にできるようになっている。
【特許文献１】特開２０００−２５９３７０号公報（段落００８６〜００８７、００９９〜０１１０等）
【発明の開示】
【発明が解決しようとする課題】
【０００５】
上述したように、上記従来技術では、操作者からの１回の指示による無線タグ作成（作成ＪＯＢ）により実行される一連の複数の無線タグ作成において一部にエラーが発生した場合でも、タグ識別情報を用いて、（当該不良タグの処理を中止しての排出や当該無線タグの属性のクリア等の）エラー処理を円滑に実行できる。しかしながら、１つのアプリケーションプログラムに基づく上記作成ＪＯＢがまだ終了していない間に、別のアプリケーションプログラムに基づく作成ＪＯＢ（同一アプリケーションプログラムによるさらに重ねての別の作成ＪＯＢを含む）を重ねて受け付けることまでは配慮されていない。このような複数の作成ＪＯＢを実行したい場合でも、操作者は、最初の作成ＪＯＢが終了するまで次の作成操作を待たなければならず、一括処理ができずに不便であった。
【０００６】
本発明の目的は、複数の作成ＪＯＢによる作成を一括して処理することができ、作成効率の向上を図れるタグラベル作成システム及びこれに用いる操作端末を提供することにある。
【課題を解決するための手段】
【０００７】
上記目的を達成するために、第１の発明は、情報を記憶するＩＣ回路部、及び、情報を送受信するタグアンテナ、を有する無線タグ回路素子を備えた無線タグラベルを作成するタグラベル作成装置と、前記ラベル作成装置を操作する操作端末とを有するタグラベル作成システムであって、前記タグラベル作成装置は、前記無線タグ回路素子を備えたタグ媒体又は前記タグ媒体に貼り合わされる被印字媒体に対し、印字データに対応した印字を行う印字手段と、無線通信を介し、前記無線タグ回路素子に書き込みデータを送信して前記ＩＣ回路部に書き込むとともに、前記ＩＣ回路部よりタグ識別情報を読み取る情報送受信手段とを有し、前記操作端末は、前記無線タグラベルを作成するための複数のアプリケーションプログラムのそれぞれに基づく、前記印字データ及び前記書き込みデータ及びデータ識別情報を含む複数のラベル作成ＪＯＢを、順次受け付けて蓄積可能なＪＯＢ受付手段と、前記ＪＯＢ受付手段で蓄積した各ラベル作成ＪＯＢに基づき、対応する前記印字データ及び前記書き込みデータを含むラベル作成指示信号を、前記タグラベル作成装置に出力する指示信号出力手段と、前記ラベル作成指示信号に対応した前記タグラベル作成装置での作成結果情報を取得する結果情報取得手段と、前記結果情報取得手段で取得した前記作成結果情報を、対応する前記データ識別情報と関連づけて記憶する結果情報記憶手段とを有することを特徴とする。
【０００８】
本願第１発明のタグラベル作成システムにおいては、操作端末の操作に応じて、タグラベル作成装置で無線タグラベルを作成する。操作端末には、無線タグラベルを作成するための少なくとも１つのアプリケーションプログラムが用意されている。そして、ＪＯＢ受付手段が、アプリケーションプログラムに基づく複数のラベル作成ＪＯＢ（複数のアプリケーションプログラムそれぞれに基づく場合を含む）を順次受け付け、蓄積することができる。
【０００９】
このとき、各ラベル作成ＪＯＢには、無線タグラベル作成装置の印字手段で印字するための印字データと、情報送受信手段でタグ媒体の無線タグ回路素子のＩＣ回路部に書き込むための書き込みデータと、データ識別情報とが含まれている。上記のようにして複数のラベル作成ＪＯＢが蓄積される一方、指示信号出力手段が（例えば１つのラベル作成ＪＯＢが終わる都度、等の適宜のタイミングで）各ラベル作成ＪＯＢに対応したラベル作成指示信号をタグラベル作成装置に出力する。
【００１０】
ラベル作成指示信号には、上記ラベル作成ＪＯＢに含まれる印字データ、書き込みデータ、データ識別情報のうち、印字データ及び書き込みデータが含まれる。タグラベル作成装置は、そのラベル作成指示信号に含まれる上記印字データ及び上記書き込みデータを用いて、前述の印字手段による印字及びＩＣ回路部への情報書き込みを行い、その作成結果（成功か失敗か）を操作端末へと出力する。
【００１１】
操作端末では、その作成結果情報が結果情報取得手段によって取得された後、対応するデータ識別情報（もともと印字データ及び書き込みデータとともにラベル作成ＪＯＢに含まれていたもの）と関連づけ、結果情報記憶手段に記憶する。
【００１２】
以上のようにして、ラベル作成ＪＯＢに予めデータ識別情報を付与しておき、少なくとも１つのアプリケーションプログラムに基づく複数のラベル作成ＪＯＢを順次受け付けて蓄積する一方、平行して無線タグラベルの作成を実行してその結果情報をデータ識別情報と対応づけて記憶する。これにより、従来のように１つのラベル作成ＪＯＢがまだ終了していない間であっても、別のラベル作成ＪＯＢ（同一アプリケーションプログラムによるさらに重ねての別のラベル作成ＪＯＢの場合と、別のアプリケーションプログラムによるラベル作成ＪＯＢの場合とを含む）を受け付けることができる。したがって、操作者は、複数の作成ＪＯＢによるラベル作成を一括して処理することができる。この結果、ラベル作成の効率向上を図ることができ、利便性を向上することができる。
【００１３】
またこのとき、各ラベル作成ＪＯＢのラベル作成結果についても、（上記のようにデータ識別情報と対応づけられて順次記憶されているので）当該ラベル作成ＪＯＢが終了して作成結果情報が記憶された後であれば、（その後の他のラベル作成ＪＯＢの実行途中であっても）操作者は随時知ることができるので、これによっても利便性を向上することができる。
【００１４】
第２発明は、上記第１発明において、前記操作端末は、前記アプリケーションプログラムに基づく、対応する前記データ識別情報を含む作成結果問い合わせ信号を入力する問い合わせ信号入力手段と、前記作成結果問い合わせ信号に含まれる前記データ識別情報をキーとして前記結果情報記憶手段から対応する前記作成結果情報を抽出し、出力する結果情報出力手段とを有することを特徴とする。
【００１５】
ラベル作成結果は、データ識別情報と対応づけられた作成結果情報として結果情報記憶手段に順次記憶されている。アプリケーションプログラムのラベル作成ＪＯＢごとのラベル作成結果を知るための作成結果問い合わせ信号が問い合わせ信号入力手段で入力されると、結果情報出力手段が、作成結果問い合わせ信号に含まれるデータ識別情報をキーとして結果情報記憶手段を検索し、該当する作成結果情報を抽出して出力する。これにより、各ラベル作成ＪＯＢが終了して作成結果情報が記憶された後であれば、（その後の他のラベル作成ＪＯＢの実行途中であっても）作成結果を操作者が随時知ることができる。
【００１６】
第３発明は、上記第２発明において、前記タグラベル作成装置において前記無線タグラベルの作成に成功した場合には、前記操作端末は、前記結果情報取得手段が、前記情報送受信手段で読み取った前記タグ識別情報を含む作成結果情報を取得し、前記結果情報記憶手段が、前記結果情報取得手段で取得した前記タグ識別情報を含む前記作成結果情報を、対応する前記データ識別情報と関連づけて記憶し、前記結果情報出力手段が、前記結果情報記憶手段から対応する前記タグ識別情報を含む前記作成結果情報を抽出し、出力することを特徴とする。
【００１７】
無線タグラベル作成装置での無線タグラベル作成が成功した場合には、情報送受信手段で読み取ったタグ識別情報が、作成結果情報に組み込まれて結果情報記憶手段に記憶される。したがって、作成結果問い合わせ信号が問い合わせ信号入力手段で入力された後の結果情報記憶手段での検索及び作成結果情報の抽出により、操作者は、ラベル作成時に読み取られたタグ識別情報を取得することができる。
【００１８】
第４発明は、上記第２又は第３発明において、前記タグラベル作成装置において前記無線タグラベルの作成に失敗した場合には、前記操作端末は、前記結果情報取得手段が、作成失敗を表す作成結果情報を取得し、前記結果情報記憶手段が、前記結果情報取得手段で取得した前記作成失敗を表す前記作成結果情報を、対応する前記データ識別情報と関連づけて記憶し、前記結果情報出力手段が、前記結果情報記憶手段から対応する前記作成失敗を表す前記作成結果情報を抽出し、出力することを特徴とする。
【００１９】
無線タグラベル作成装置での無線タグラベル作成に失敗した場合には、その作成失敗を表す作成結果情報が結果情報記憶手段に記憶される。したがって、作成結果問い合わせ信号が問い合わせ信号入力手段で入力された後の結果情報記憶手段での検索及び作成結果情報の抽出により、操作者は、ラベル作成が失敗したことを確実に認識することができる。
【００２０】
第５発明は、上記第１乃至第４発明のいずれかにおいて、前記操作端末は、各ラベル作成ＪＯＢの前記印字データと前記書き込みデータとを互いに対応づけて格納したデータベースを、複数の前記アプリケーションプログラムのそれぞれごとに有していることを特徴とする。
【００２１】
これにより、複数のアプリケーションプログラムを備えている場合でも、印字データと書き込みデータとの対応関係を、各アプリケーションプログラムごとに明確に整理して格納することができる。またタグラベル作成装置側でなく操作端末側にデータベースを設けることで、操作者によるデータベースへのアクセスやデータ変更・再構築等の処理を迅速かつ容易に行うことができる。
【００２２】
第６発明は、上記第１乃至第５発明のいずれかにおいて、前記操作端末に備えられる複数の前記アプリケーションプログラムとして、固定資産管理用アプリケーションプログラム、名札管理用アプリケーションプログラム、文書管理用アプリケーションプログラムのうち、少なくとも１つが含まれることを特徴とする。
【００２３】
これにより、無線タグラベルを作成するときの典型的な３つの用途、すなわち固定資産管理用のラベル作成、名札用のラベル作成、書類やファイル等の文書管理用のラベル作成の少なくとも１つを、操作端末の操作で円滑に行うことができる。
【００２４】
上記目的を達成するために、第７発明は、上記目的を無線通信を介し、情報を記憶するＩＣ回路部、及び、情報を送受信するタグアンテナを有する無線タグ回路素子に書き込みデータを送信して書き込むとともにタグ識別情報を読み取る情報送受信手段と、印字データに対応した印字を行う印字手段とを有するタグラベル作成装置を操作するための操作端末であって、無線タグラベルを作成するための複数のアプリケーションプログラムのそれぞれに基づく、前記印字データ及び前記書き込みデータ及びデータ識別情報を含む複数のラベル作成ＪＯＢを、順次受け付けて蓄積可能なＪＯＢ受付手段と、前記ＪＯＢ受付手段で蓄積した各ラベル作成ＪＯＢに基づき、対応する前記印字データ及び前記書き込みデータを含むラベル作成指示信号を、前記タグラベル作成装置に出力する指示信号出力手段と、前記ラベル作成指示信号に対応した前記タグラベル作成装置での作成結果情報を取得する結果情報取得手段と、前記結果情報取得手段で取得した前記作成結果情報を、対応する前記データ識別情報と関連づけて記憶する結果情報記憶手段と
を有することを特徴とする。
【００２５】
本願第７発明の操作端末には、タグラベル作成装置で無線タグラベルを作成するための少なくとも１つのアプリケーションプログラムが用意されている。そして、ＪＯＢ受付手段が、アプリケーションプログラムに基づく複数のラベル作成ＪＯＢ（複数のアプリケーションプログラムそれぞれに基づく場合を含む）を順次受け付け、蓄積することができる。
【００２６】
このとき、各ラベル作成ＪＯＢには、無線タグラベル作成装置の印字手段で印字するための印字データと、情報送受信手段でタグ媒体の無線タグ回路素子のＩＣ回路部に書き込むための書き込みデータと、データ識別情報とが含まれている。上記のようにして複数のラベル作成ＪＯＢが蓄積される一方、指示信号出力手段が（例えば１つのラベル作成ＪＯＢが終わる都度、等の適宜のタイミングで）各ラベル作成ＪＯＢに対応したラベル作成指示信号をタグラベル作成装置に出力する。
【００２７】
ラベル作成指示信号には、上記ラベル作成ＪＯＢに含まれる印字データ、書き込みデータ、データ識別情報のうち、印字データ及び書き込みデータが含まれる。タグラベル作成装置が、そのラベル作成指示信号に含まれる上記印字データ及び上記書き込みデータを用いて、前述の印字手段による印字及びＩＣ回路部への情報書き込みを行い、作成結果（成功か失敗か）を出力すると、その作成結果情報は結果情報取得手段によって取得される。そして、取得された作成結果情報は、対応するデータ識別情報（もともと印字データ及び書き込みデータとともにラベル作成ＪＯＢに含まれていたもの）と関連づけられ、結果情報記憶手段で記憶される。
【００２８】
以上のようにして、ラベル作成ＪＯＢに予めデータ識別情報を付与しておき、少なくとも１つのアプリケーションプログラムに基づく複数のラベル作成ＪＯＢを順次受け付けて蓄積する一方、平行して無線タグラベルの作成を実行してその結果情報をデータ識別情報と対応づけて記憶する。これにより、従来のように１つのラベル作成ＪＯＢがまだ終了していない間であっても、別のラベル作成ＪＯＢ（同一アプリケーションプログラムによるさらに重ねての別のラベル作成ＪＯＢの場合と、別のアプリケーションプログラムによるラベル作成ＪＯＢの場合とを含む）を受け付けることができる。したがって、操作者は、複数の作成ＪＯＢによるラベル作成を一括して処理することができる。この結果、ラベル作成の効率向上を図ることができ、利便性を向上することができる。
【００２９】
またこのとき、各ラベル作成ＪＯＢごとのラベル作成結果についても、（上記のようにデータ識別情報と対応づけられて順次記憶されているので）当該ラベル作成ＪＯＢが終了して作成結果情報が記憶された後であれば、（その後の他のラベル作成ＪＯＢの実行途中であっても）操作者は随時知ることができるので、これによっても利便性を向上することができる。
【発明の効果】
【００３０】
本発明によれば、複数の作成ＪＯＢによる作成を一括して処理でき、作成効率の向上を図ることができる。
【発明を実施するための最良の形態】
【００３１】
以下、本発明の一実施の形態を図面を参照しつつ説明する。
【００３２】
図１は、本実施形態のタグラベル作成システム全体を表すシステム構成図である。
【００３３】
図１に示すタグラベル作成システム１は、汎用パーソナルコンピュータで構成される操作端末２と、例えばＵＳＢ等のインターフェースを介して操作端末２に接続されたタグラベルプリンタ（タグラベル作成装置）３とからなっている。
【００３４】
タグラベルプリンタ３は、操作端末２との間で各種の情報と指示信号を送受することで無線タグラベルＴを作成するものである。作成された無線タグラベルＴは、表面に所定の文字や図形などの印字（後述の図６参照）が施されているとともに、内部に備える無線タグ回路素子Ｔｏにそれぞれ無線タグラベルＴ間で重複することなく一意的に定義された固有の識別情報（タグ識別情報；以下、タグＩＤという）や、前記印字に関連した情報が記憶されている（詳しくは後述する）。
【００３５】
図２は、上記タグラベル作成システム１の詳細機能を表す機能ブロック図である。
【００３６】
この図２において、操作端末２は、前述したように一般に市販されている汎用パーソナルコンピュータであり、その構成はＣＰＵ（中央演算装置）１２と、例えばＲＡＭやＲＯＭ等からなるメモリ１３と、使用者からの指示や情報が入力される操作部１４と、各種情報やメッセージを表示する表示部１５と、ハードディスク装置からなり各種情報を記憶する大容量記憶装置１６と、例えばＵＳＢなどの規格に準拠するインターフェース接続を介してタグラベルプリンタ３との情報信号の授受の制御を行う通信制御部１５とを備えている。
【００３７】
ＣＰＵ１２は、ＲＡＭの一時記憶機能を利用しつつＲＯＭに予め記憶されたプログラムに従って信号処理を行い、それによってタグラベルプリンタ３との間で各種の指示信号・情報信号の送受を行うようになっている。
【００３８】
一方、タグラベルプリンタ３は、所定間隔で無線タグ回路素子Ｔｏが備えられたタグ媒体としてのタグテープ（本来は渦巻き状であるが簡略化して同心円で図示している）２０３を巻回したタグテープロール２０４を着脱可能な（又はタグテープロール２０４を備えたカートリッジを着脱可能な）タグテープロールホルダ部２１０と、このタグテープロール２０４から繰り出されたタグテープ２０３のうち上記無線タグ回路素子Ｔｏに対応した領域に所定の印字を行う印字ヘッド（印字手段）２０５と、無線タグ回路素子Ｔｏとの間で無線通信により情報の送受信（情報読み取り及び書き込み）を行う装置側アンテナ（情報送受信手段）２０６と、高周波回路２０１及び制御回路２０２と、上記操作端末２との間で行われる通信の制御を行う通信制御部２０８と、タグテープ２０３への印字及び無線タグ回路素子Ｔｏへの上記情報書き込みが終了したタグテープ２０３を所定の長さに切断して無線タグラベルＴとするカッタ２０７と、印字ヘッド２０５に対向して設けられ、制御回路２０２により制御されてタグテープロール２０４を搬送する搬送装置２０９とを有する。
【００３９】
タグテープに備えられている複数の無線タグ回路素子Ｔｏには、予め（例えば）製造工場において無線タグ回路素子Ｔｏの個体別に重複することなく一意的に定義されたタグＩＤ（いわゆるＵＩＤ）が記憶されている。
【００４０】
高周波回路２０１及び制御回路２０２は、無線タグ回路素子ＴｏのＩＣ回路部１５０へのアクセス情報を生成し、装置側アンテナ２０６を介して無線タグ回路素子Ｔｏへ送信し、無線タグ回路素子ＴｏのＩＣ回路部１５０へ情報の書き込みとタグＩＤの読み取りとを行う。また制御回路２０２は上記通信制御部２０８を介して操作端末２と接続されており、この操作端末２と情報の送受が可能となっている。
【００４１】
このような構成において、上記タグラベルプリンタ３で無線タグラベルＴを作成する際には、操作者は操作端末２において起動されているアプリケーションを操作することにより、無線タグラベルＴの表面に印字する印字データや無線タグラベルＴに記憶させる書き込みデータ等の設定入力を行うとともに、無線タグラベルＴの作成指示入力を行う。これにより、操作端末２とタグラベルプリンタ３の制御回路２０２の制御により、上記印字データに基づいた印字ヘッド２０５による印字が行われるとともに、高周波回路２０１により書き込みデータが生成され装置側アンテナ２０６を介して無線タグ回路素子Ｔｏへ送信される。これにより、無線タグ回路素子ＴｏのＩＣ回路部１５０に対してタグＩＤの読み取りと書き込みデータの書き込み（詳しくは後述する）が行われ、無線タグラベルＴが作成される。
【００４２】
図３は、上記無線タグラベルＴに備えられた無線タグ回路素子Ｔｏの機能的構成の一例を表すブロック図である。
【００４３】
この図３において、無線タグ回路素子Ｔｏは、上述したようにタグラベルプリンタ３の装置側アンテナ２０６と無線通信もしくは電磁誘導により非接触で信号の送受信を行う上記タグ側アンテナ（タグアンテナ）１５１と、このタグ側アンテナ１５１に接続された上記ＩＣ回路部１５０とを有している。
【００４４】
ＩＣ回路部１５０は、タグ側アンテナ１５１により受信された質問波を整流する整流部１５２と、この整流部１５２により整流された質問波のエネルギを蓄積し駆動電源とするための電源部１５３と、上記タグ側アンテナ１５１により受信された質問波からクロック信号を抽出して制御部１５７に供給するクロック抽出部１５４と、所定の情報信号を記憶し得るメモリ部１５５と、上記タグ側アンテナ１５１に接続された変復調部１５６と、上記メモリ部１５５、クロック抽出部１５４、及び変復調部１５６等を介して上記無線タグ回路素子Ｔｏの作動を制御するための上記制御部１５７とを備えている。
【００４５】
変復調部１５６は、タグ側アンテナ１５１により受信された上記タグラベルプリンタ３の装置側アンテナ２０６からの質問波の復調を行い、また、上記制御部１５７からの返信信号を変調し、タグ側アンテナ１５１より応答波（タグＩＤを含む信号）として再送信する。
【００４６】
クロック抽出部１５４は受信した信号からクロック成分を抽出して制御部１５７にクロックを抽出するものであり、受信した信号のクロック成分の周波数に対応したクロックを制御部１５７に供給する。
【００４７】
制御部１５７は、上記変復調部１５６により復調された受信信号を解釈し、上記メモリ部１５５において記憶された情報信号に基づいて返信信号を生成して上記変復調部１５６により上記タグ側アンテナ１５１から返信する制御等の基本的な制御を実行する。
【００４８】
図４は、操作端末２内における処理制御上の機能的構成の一例を表すブロック図である。この図４において、操作端末２の上記メモリ（ＲＡＭ）１３上に、２つのアプリケーション（アプリケーションプログラム）ＡＰ１，ＡＰ２とプリンタドライバＰＤのそれぞれのプログラムが展開して起動しており、相互に指示信号と情報信号を送受可能となっている。そして２つのアプリケーションプログラムＡＰ１，ＡＰ２はそれぞれ共通する一つのプリンタドライバＰＤに対して信号を送受し、またプリンタドライバＰＤは上記通信制御部１５，２０８どうしのインターフェース接続を介してタグラベルプリンタ３と信号を送受するようになっている。
【００４９】
これら複数のアプリケーションプログラムＡＰ１，ＡＰ２とプリンタドライバＰＤは、いずれも操作端末２が備える一つのＣＰＵ１２によって実行されるものであるが、例えばタイムシェアリングシステム（ＴＳＳ）などの時分割での割り込み制御によってそれぞれ個別に独立して実行されるものとなっている。またプリンタドライバＰＤについては、汎用パーソナルコンピュータで構成される操作端末２の基本ＯＳに予め組み込まれたものでもよいし、他のアプリケーションと同様にＯＳ上で個別に起動されるプログラムであってもよい。
【００５０】
ここで、各アプリケーションプログラムＡＰ１，ＡＰ２として適用される具体例としては、机やイスなどの備品に貼付する無線タグラベルＴの作成・管理用の固定資産管理用アプリケーションプログラム、社員や来客などの人物に所持させる無線タグラベルＴの作成・管理用の名札管理用アプリケーションプログラム、又は書類ファイルなどに貼付する無線タグラベルＴの作成・管理用の文書管理用アプリケーションプログラムなどがある。これらは、無線タグラベルＴの作成に対して必要とされる各設定情報（印字データ、書き込みデータなど）を設定するとともに、これら設定情報を含めた無線タグラベルＴの作成指令をプリンタドライバＰＤに出力し、また無線タグラベルＴの作成後にはそれぞれに記憶されているタグＩＤをプリンタドライバＰＤから取得して対応する各設定情報と関連づけて情報を管理する。
【００５１】
タグラベルプリンタ３は、プリンタドライバＰＤから一つのタグ作成コマンドを入力されることによって１枚の無線タグラベルＴを作成する。すなわち、タグ作成コマンドに含まれる上記設定情報に基づいて印字と情報の書き込みを行うとともに、無線タグ回路素子Ｔｏに予め記憶されているタグＩＤを読み取って無線タグラベルＴの作成の成否結果とともにプリンタドライバＰＤに返信する。
【００５２】
プリンタドライバＰＤは、複数のアプリケーションプログラムＡＰからそれぞれ出力された複数の無線タグラベルＴの作成指令（１つのアプリケーションプログラムＡＰから繰り返して複数の作成指令が出力された場合を含む）を常時並列的に受け付け、タグラベルプリンタ３に対してこれら受け付けた作成指令順にそれぞれ対応するタグ作成コマンドの出力とその作成結果の返信の入力を繰り返し、作成が成功した無線タグラベルＴのタグＩＤをその作成指令元のアプリケーションプログラムＡＰに返信する。
【００５３】
以上におけるアプリケーションプログラムＡＰ、プリンタドライバＰＤ、及びタグラベルプリンタ３の間の情報の流れを、図５〜図８を用いて以下に詳しく説明する。
【００５４】
図５は、本実施形態のタグラベル作成システム１において無線タグラベルＴの作成を指示した際の主な情報の流れを概念的に説明する図である。なお、説明の便宜上、アプリケーションプログラムＡＰは名札管理用アプリケーションが一つだけ起動している場合の例を示し、このアプリケーションプログラムＡＰとプリンタドライバＰＤとタグラベルプリンタ３との間の情報の流れを示して、操作端末２とタグラベルプリンタ３との間のハードウェア的な区別は省略する（後述の図６〜図８においても同様）。
【００５５】
この図５において、まず操作者はアプリケーションプログラムＡＰの操作により所望する無線タグラベルＴの作成を指示することで、アプリケーションプログラムＡＰからプリンタドライバＰＤへ作成ジョブ（ラベル作成ＪＯＢ）の信号が出力される。この作成ジョブは、無線タグラベルＴの１枚の作成に対応した作成指令の集合（作成指令×１つの作成ジョブで作成する枚数）であり、つまり１つの作成ジョブを出力することで当該作成ジョブに含まれている作成指令の数だけ無線タグラベルＴを作成することができる。なお、一つの作成ジョブが一つの作成指令だけを含んで出力される場合もある。
【００５６】
そして各作成指令には、無線タグラベルＴの印字面に印字させる印字データ（図示する例では「企画部  田中」等）、無線タグラベルＴが備える無線タグ回路素子Ｔｏに記憶させる書き込みデータ、及び当該作成指令の識別情報である作成指令ＩＤ（データ識別情報）が含まれている。
【００５７】
これら作成指令を含む作成ジョブを受け取ったプリンタドライバＰＤは、その作成ジョブの内容を後述する作成指令テーブル（後述の図９参照）に作成指令ごとに蓄積し、順次これら作成指令に対応するタグ作成コマンド（ラベル作成指示信号）をタグラベルプリンタ３に出力する。このタグ作成コマンドには、対応する作成指令の印字データ（図示する例では「企画部  田中」）と書き込みデータが含まれている。なお、プリンタドライバＰＤは一つのタグ作成コマンドをタグラベルプリンタ３へ出力した後に、それに対応する一つの作成結果情報（後に詳述）の返信を待ってから次のタグ作成コマンドを出力する。
【００５８】
図６は、本実施形態のタグラベル作成システム１においてタグラベルプリンタ３が無線タグラベルＴの作成に成功した際の主な情報の流れを概念的に説明する図である。
【００５９】
この図６において、無線タグラベルＴが作成される前のタグテープ２０３に備えられている各無線タグ回路素子Ｔｏには、前述したように予め個体別に定義された識別情報であるタグＩＤが記憶されている。上記図５に示したようにプリンタドライバＰＤからタグ作成コマンドを受け取ったタグラベルプリンタ３は、タグテープ２０３の表面の所定の印字領域に対して上記印字データに基づいた印字を行うとともに、無線タグ回路素子ＴｏのＩＣ回路部１５０に対してタグＩＤの読み取りと上記書き込みデータの書き込みとを行い、これにより無線タグラベルＴが作成される。
【００６０】
そしてこれら印字処理、タグＩＤの読み取り処理、及び書き込みデータの書き込み処理のいずれも成功して正常な無線タグラベルＴを作成できた場合には、タグラベルプリンタ３は、成功ステータスと読み取ったタグＩＤとを含んだ作成結果情報をプリンタドライバＰＤに対し出力する。
【００６１】
この作成結果情報を受け取ったプリンタドライバＰＤは、直前に出力したタグ作成コマンドに係わる作成指令ＩＤと関連づけて、成功ステータスとタグＩＤとを作成指令テーブル（図９参照）に記録する。
【００６２】
図７は、本実施形態のタグラベル作成システム１においてタグラベルプリンタ３が無線タグラベルＴの作成に失敗した際の主な情報の流れを概念的に説明する図である。なお、この図７は、上記図６と同様にタグラベルプリンタ３がプリンタドライバＰＤからタグ作成コマンドを受け取った後の処理を示すものであり、タグラベルプリンタ３が印字処理、タグＩＤの読み取り処理、及び書き込みデータの書き込み処理のいずれか一つでも失敗して正常な無線タグラベルＴを作成できなかった場合には、タグラベルプリンタ３がプリンタドライバＰＤに対して失敗ステータスのみを含んだ作成結果情報を出力する。
【００６３】
この作成結果情報を受け取ったプリンタドライバＰＤは、直前に出力したタグ作成コマンドに係わる作成指令ＩＤと関連づけて、失敗ステータスを作成指令テーブル（図９参照）に記録する。
【００６４】
図８は、本実施形態のタグラベル作成システム１においてアプリケーションプログラムＡＰがプリンタドライバＰＤに対して作成結果を問い合わせた際の主な情報の流れを概念的に説明する図である。
【００６５】
この図８において、この例では、アプリケーションプログラムＡＰが、上記図５に示した作成ジョブをプリンタドライバＰＤに出力した後、（さらにラベル作成が終了するまでに必要な時間の経過後の）適宜のタイミングで、プリンタドライバＰＤに対して無線タグラベルＴの作成結果に関する情報を問い合わせる結果要求指令（作成結果問い合わせ信号）を出力する。
【００６６】
この結果要求指令には、それまでに当該アプリケーションプログラムＡＰがプリンタドライバＰＤに出力した作成ジョブ中の作成指令の作成指令ＩＤが含まれている。なお、この結果要求指令は、作成指令ごとに一つずつ出力してもよいし、又は以前に出力した作成ジョブ単位でまとめて出力してもよい。
【００６７】
この結果要求指令を受け取ったプリンタドライバＰＤは、それに含まれている作成指令ＩＤをキーとして作成指令テーブルから対応する無線タグラベルＴの作成成否のステータスとタグＩＤ（成功している場合）を検出し、それら作成指令ＩＤ、作成成否ステータス、及びタグＩＤ（成功している場合）を含めた作成結果情報をアプリケーションプログラムＡＰに応答出力する。
【００６８】
このようにして、プリンタドライバＰＤは各無線タグラベルＴ別（各作成指令別）に設定された作成指令ＩＤを用いて、対応する全ての情報を管理している。この結果、アプリケーションプログラムＡＰは、必要なときに必要な作成指令ＩＤに対応する情報を、プリンタドライバＰＤから取得することができる。
【００６９】
図９は、プリンタドライバＰＤが管理する作成指令テーブルの一例を概念的に表す図である。この作成指令テーブル（データベース）は、操作端末２の大容量記憶装置１６に記録保持されてプリンタドライバＰＤのみが管理する情報である。なお、本実施形態では、上記固定資産管理用アプリケーションプログラム、名札管理用アプリケーションプログラム、文書管理用アプリケーションプログラムのそれぞれに分かれて大容量記憶装置１６にそれぞれ上記作成指令テーブルが備えられている。図示の例では、それらのうち、上記名札管理用アプリケーションプログラムＡＰに係わる作成指令テーブルを示している。また図中の作成指令ＩＤ及びタグＩＤを例示する内容は、全て１６進数で表記している。
【００７０】
図９に示すように、作成指令テーブルには、プリンタドライバＰＤが受け付けた全ての作成指令に対し、受け付け順の通し番号で設定された参照番号（最も左端の「Ｎｏ．」）が記録項目として設けられている。また、各参照番号に対応して（つまり各作成指令に対応して）、作成指令ＩＤ、印字データ、書き込みデータ、作成状況、及びタグＩＤがそれぞれ記録項目として設けられている。これらのうち、前述したように作成指令ＩＤ、印字データ、及び書き込みデータは、アプリケーションプログラムＡＰから受け取る作成ジョブ（作成指令）に基づいて記録される。また、作成状況とタグＩＤとは、タグラベルプリンタ３から受け取る作成結果情報に基づいて記録される（作成状況については後述するように作成前の状況によっても変化する）。
【００７１】
「作成指令ＩＤ」項目には、図示する例では６桁の１６進数で表される識別コードからなるＩＤが記録される。この例では、上位２桁が当該作成指令を出力したアプリケーションプログラムＡＰの識別コードとして記述され、その他の下位４桁が当該アプリケーションプログラムＡＰが設定した作成指令の通し番号として記述されている。これにより、複数のアプリケーションプログラムＡＰから多くの作成指令を受け付けて蓄積した場合でも、全ての作成指令ＩＤの一意性が保持される。
【００７２】
「印字データ」項目には、例えば、無線タグラベルＴの印字領域に印字される文字又は図形の情報（図示する例の「企画部  田中」等）と、それらの印字の位置、字体、又は大きさなどを表すデータ（特に図示せず）とが組み合わされたデータが記録される。
【００７３】
「書き込みデータ」項目には、（通常は、対応する印字データに関連する内容の情報であり）無線タグラベルＴに記憶させておくことで別途無線タグリーダによって無線タグラベルＴから読み取られる際に参照される情報が記録される。図示する例では、当該無線タグラベルＴを所持する人物（印字データが示す人物）がそれぞれ利用可能な設備や資料を表す情報となっており、これらの内容に適宜対応するコードが記録される。
【００７４】
「作成状況」項目には、当該作成指令の処理状況を示す情報が記録される。その内容としては、上記図６、図７、図８に示した無線タグラベルＴの作成成否ステータスに対応する「成功」及び「失敗」がある。さらに、プリンタドライバＰＤから当該作成指令に対応するタグ作成コマンドの出力後でタグラベルプリンタ３からの作成結果情報待ちの状態である「作成中」と、まだ対応するタグ作成コマンドが出力されていない状態の「待機中」とがある。これらのいずれかが、適宜対応するコードで記録される。
【００７５】
「タグＩＤ」項目には、既に無線タグラベルＴの作成が成功した作成指令のみに対応して、無線タグ回路素子Ｔｏから読み取られたタグＩＤが記録される。
【００７６】
なお、図示する例の作成指令テーブルは、前述したように名札管理用アプリケーションプログラムＡＰから出力された作成指令のみ蓄積されているが、他のアプリケーションプログラムＡＰからの作成指令も併せて蓄積した場合にはその受け付け順（作成ジョブとその中の作成指令の受け付け順）で作成指令テーブルに蓄積される。また、前述したように、（この例では）タグラベルプリンタ３は一つのタグ作成コマンドずつ処理していくため、全ての作成指令を通して一つの作成状況のみが「作成中」となる。
【００７７】
また特に図示しないが、アプリケーションプログラムＡＰにおいても、この作成指令テーブルと同等（又は記録項目が増加した）テーブルを独自に記録・管理することになるが、そのテーブルには当該アプリケーションプログラムＡＰが設定した作成指令のみが蓄積される。
【００７８】
図１０は、操作端末２のＣＰＵ１２によって実行されるプリンタドライバＰＤの制御手順を表すフローチャートである。なお、前述したようにプリンタドライバＰＤは、基本ＯＳに組み込まれたプログラム又はスタンドアローンで起動するアプリケーションプログラムＡＰのいずれの形態で実行されてもよく、そのような基本ＯＳ組み込みプログラムが呼び込まれた際、又はアプリケーションプログラムＡＰが起動した際にこのフローが開始される。また、このフロー開始時には、作成指令テーブルに何も作成指令が蓄積されていない状態である（「ＳＴＡＲＴ」位置）。
【００７９】
図１０において、まず、ステップＳ５では、作成指令テーブルの参照番号に対応するカウンタＣに１を代入して初期設定する。
【００８０】
次にステップＳ１０へ移り、アプリケーションプログラムＡＰから作成ジョブの入力があったか否かを判定する。作成ジョブの入力があった場合、判定が満たされ、ステップＳ１５で入力された作成ジョブに含まれている作成指令をその受け付け順に作成指令テーブルに蓄積する（上記図５参照）。そして、それぞれの「作成状況」項目を「待機中」として登録し、ステップＳ２０へ移る。一方、作成ジョブの入力がなかった場合、判定は満たされず、そのままステップＳ２０へ移る。
【００８１】
ステップＳ２０では、作成指令テーブルにおいて参照番号がカウンタＣの値と同じである作成指令（つまり受け付け順がＣ番目の作成指令）について、対応する作成状況が「待機中」であるか否かを判定する。Ｃ番目の作成指令の作成状況が「待機中」である場合、判定が満たされ、すなわちその時点でプリンタドライバＰＤが処理対象としているＣ番目の作成指令に対してまだタグ作成コマンドがタグラベルプリンタ３に出力されていないものとみなされ、ステップＳ２５に移る。ステップＳ２５では、Ｃ番目の作成指令に対応する印字データと書き込みデータを作成指令テーブルから取得し、それらを含めたタグ作成コマンドを生成して、タグラベルプリンタ３に出力する（上記図５参照）。そしてステップＳ３０で、作成指令テーブルのＣ番目の作成指令に対応する「作成状況」項目の内容を「作成中」に変更してステップＳ３５へ移る。
【００８２】
また一方、上記ステップＳ２０の判定においてＣ番目の作成指令の作成状況が「待機中」でない場合、つまり作成状況がすでに無線タグラベルＴの作成を行った「成功」又は「失敗」、もしくはすでにタグ作成コマンドを出力して作成結果情報待ちの「作成中」である場合、判定は満たされず、（すなわちあらためてタグ作成コマンドを出力する必要がないものとみなされ）、そのままステップＳ３５へ移る。なお、作成指令テーブルに蓄積されている全ての作成指令に対して無線タグラベルＴの作成が行われた場合でも、Ｃ番目の作成状況の内容が「待機中」以外（つまり「成功」か「失敗」）となるため、そのままステップＳ３５へ移る。
【００８３】
ステップＳ３５では、タグラベルプリンタ３から作成結果情報が新たに入力されたか否かを判定する。作成結果情報の入力があった場合、判定が満たされ、ステップＳ４０に移る。ステップＳ４０では、当該作成結果情報に含まれている成否ステータスが「成功ステータス」であるか否か、つまりプリンタドライバＰＤが直前に出力したタグ作成コマンドによる無線タグラベルＴの作成が成功したか否かを判定する。
【００８４】
入力された作成結果情報に「成功ステータス」が含まれていた場合、ステップＳ４０の判定が満たされ、ステップＳ４５に移る。ステップＳ４５では、作成指令テーブルのＣ番目の作成指令における「作成状況」項目の記載を「成功」に変更するとともに、当該作成結果情報に含まれたタグＩＤの値を、作成指令テーブルのＣ番目の作成指令の「タグＩＤ」項目に記録し、ステップＳ５５へ移る（上記図６参照）。一方、入力された作成結果情報に「失敗ステータス」が含まれていた場合、ステップＳ４０の判定は満たされず、ステップＳ５０で作成指令テーブルのＣ番目の作成指令における「作成状況」項目の記載を「失敗」に変更し、ステップＳ５５へ移る（上記図７参照）。
【００８５】
ステップＳ５５では、カウンタＣの値を１増加し、つまりプリンタドライバＰＤの処理対象を次の参照番号に対応する作成指令に移して、ステップＳ６０へ移る。
【００８６】
また一方、上記ステップＳ３５の判定において、タグラベルプリンタ３から作成結果情報の入力が新たになかった場合、判定は満たされず、すなわち処理対象であるＣ番目の作成指令の作成状況が「作成中」の状態を維持するものとして（又は新しく蓄積する作成指令の入力待ちとして）そのままステップＳ６０へ移る。
【００８７】
ステップＳ６０では、アプリケーションプログラムＡＰから結果要求指令の入力があったか否かを判定する。結果要求指令の入力があった場合、判定が満たされ、ステップＳ６５に移る。ステップＳ６５では、当該結果要求指令に含まれている作成指令ＩＤをキーとして、作成指令テーブルから対応する作成状況とタグＩＤ（成功している場合）を取得する。そして、それらを含む作成結果情報を、要求元のアプリケーションプログラムＡＰに応答返信し、ステップＳ７０へ移る（上記図８参照）。なお、対応する作成状況が「作成中」又は「待機中」である場合でも（つまり全ての作成指令が処理されていない場合でも）、そのまま成否ステータスとして含めて作成結果情報を返信してもよく、アプリケーションプログラムＡＰはそれら「作成中」、「待機中」の作成指令についてのみ再度プリンタドライバＰＤに対して結果要求指令を出力すればよい。
【００８８】
また一方、上記ステップＳ６０の判定において、アプリケーションプログラムＡＰから結果要求指令の入力がなかった場合、判定は満たされず、そのままステップＳ７０へ移る。
【００８９】
ステップＳ７０では、操作部１４を介して所定の終了操作が入力されたか否かを判定する。終了操作が入力されている場合は判定が満たされてこのフローを終了し、入力されていない場合は判定が満たされずステップＳ５に戻り同様の手順を繰り返す。
【００９０】
図１１は、説明の明確のための最もシンプルな例として、一つのアプリケーションプログラムＡＰと、上記図１０の制御手順を行うプリンタドライバＰＤと、タグラベルプリンタ３との間で送受される各種信号の送受と制御動作の一例を表すシーケンス図である。なお、図中、上側から下側に向かって時系列的に変化し、この時系列に関係するアプリケーションプログラムＡＰ、プリンタドライバＰＤ、及びタグラベルプリンタ３の手順のみを図示している。また、送受される信号の詳細については、適宜説明を簡略化又は省略する（図５〜図８参照）。
【００９１】
図１１において、まずアプリケーションプログラムＡＰが、Ｎ個の作成指令を含む１つの作成ジョブＩを、プリンタドライバＰＤに出力する（図５参照）。そしてこれを受け取ったプリンタドライバＰＤが、手順ＳＤ１でＮ個の作成指令を作成指令テーブルに蓄積（キューイング）した後、順次、作成指令に対応したタグ作成コマンドＩＩをタグラベルプリンタ３に対し出力する（図５参照）。
【００９２】
そしてこれを受け取ったタグラベルプリンタ３は、手順ＳＰ１で１枚の無線タグラベルＴを作成する。なお、この作成手順は、タグラベルプリンタ３内で機械的に行われるタグテープの搬送処理、印字処理、及び切断処理などを含むため例えば数秒程度が必要である。そしてこの作成手順を終えた後に、タグラベルプリンタ３が成否ステータス（とタグＩＤ）を含む作成結果情報ＩＩＩをプリンタドライバＰＤに出力する（図６又は図７参照）。
【００９３】
作成結果情報ＩＩＩを受け取ったプリンタドライバＰＤは、手順ＳＤ２で、作成指令テーブルにおいて対応する作成状況（対応する作成指令ＩＤに係わる作成状況）を変更し、作成成功であった場合にはタグＩＤも記録する（図６又は図７参照）。
【００９４】
以上において、タグ作成コマンドＩＩの送信から手順ＳＤ２までの一連の手順が、１枚の無線タグラベルＴの作成に必要とされる単位作成行程であり、プリンタドライバＰＤとタグラベルプリンタ３はこの単位作成行程を、Ｎ回連続して繰り返す。
【００９５】
その後、適宜の時間経過後に、アプリケーションプログラムＡＰがプリンタドライバＰＤへ作成結果要求ＩＶを出力すると、プリンタドライバＰＤは対応する作成状況（図中では成否ステータス）とタグＩＤ（成功している場合）を含んだ作成結果情報Ｖを返信応答する。
【００９６】
以上の手順において、プリンタドライバＰＤは、受け付けた全ての作成指令を作成指令テーブルに蓄積して作成指令ＩＤをキーとした情報の記録管理を行っている。また、アプリケーションプログラムＡＰとプリンタドライバＰＤとの間では、必ず作成指令ＩＤを含めた作成指令ごとでの情報の送受を行う。この結果、作成指令どうしの正しい対応関係を維持したまま、関係する情報の送受を任意のタイミングで行うことができる。
【００９７】
つまり、アプリケーションプログラムＡＰ側から見ると、最初にプリンタドライバＰＤへ作成ジョブを出力した直後から何ら応答を待たずにすぐに他の処理へ移行することができ、その後の任意のタイミングで結果要求指令を出力することで（作成指令どうしの正しい対応関係を維持したまま）それぞれ対応する成否ステータスとタグＩＤを取得することができる。
【００９８】
また、プリンタドライバＰＤにおいても、タグラベルプリンタ３へタグ作成コマンドＩＩを出力してから、作成結果情報ＩＩＩの返信を受け取るまでの間のタグラベル作成期間Ｐにおいて、他の処理を行うことができる。このため、例えば図１２に示すように、第２のアプリケーションプログラムＡＰ２から第２の作成ジョブ（Ｍ個の作成指令を含む）Ｉ′を当該期間Ｐで受け付け、すぐに手順ＳＤ１′で作成指令テーブルに蓄積することができる。この場合、第１の作成ジョブによるＭ枚の無線タグラベルＴを作成した後、ただちに第２の作成ジョブによるＮ枚の無線タグラベルＴを作成する（無線タグラベルＴの単位作成行程を（Ｎ＋Ｍ）回繰り返す）ことになり。つまり、実質的に、どのアプリケーションプログラムＡＰ１，ＡＰ２でも任意のタイミングでプリンタドライバＰＤに作成ジョブを出力し蓄積させることができる。
【００９９】
なお、図１２においては、図示の煩雑防止のために、各アプリケーションプログラムＡＰ１，ＡＰ２とプリンタドライバＰＤの間における作成結果要求及び作成結果情報の送受については、図示を省略している。
【０１００】
以上において、上記図１０のフローにおけるステップＳ１５の手順が、各請求項記載のＪＯＢ受付手段を構成する。また、ステップＳ２５の手順が指示信号出力手段を構成し、ステップＳ３５の手順が結果情報取得手段を構成する。また、ステップＳ４５及びステップＳ５０の手順が結果情報記憶手段を構成する。また、ステップＳ６０の手順が問い合わせ信号入力手段を構成し、ステップＳ６５の手順が結果情報出力手段を構成する。
【０１０１】
以上説明したように、本実施形態においては、作成ジョブに含まれる各作成指令に予め作成指令ＩＤを付与しておき、少なくとも１つのアプリケーションプログラムＡＰに基づく複数の作成ジョブを順次受け付けて蓄積する一方、平行して無線タグラベルＴの作成を実行してその作成結果情報を作成指令ＩＤと対応づけて記憶する。これにより、従来のように１つの作成ジョブがまだ全て終了していない間であっても、別の作成ジョブ（同一のアプリケーションプログラムＡＰによるさらに重ねての別の作成ジョブの場合と、別のアプリケーションプログラムＡＰによる作成ジョブの場合とを含む）を受け付けることができる。したがって、操作者は、複数の作成ジョブによるラベル作成を一括して処理することができる。この結果、ラベル作成の効率向上を図ることができ、利便性を向上することができる。
【０１０２】
またこのとき、各アプリケーションプログラムＡＰの作成ジョブごとのラベル作成結果についても、（上記のように作成指令ＩＤと対応づけられて順次記憶されているので）当該作成ジョブが終了して作成結果情報の内容が作成指令テーブルに記憶された後であれば、（その後の他の作成ジョブの実行途中であっても）操作者は作成結果情報の内容随時知ることができるので、これによっても利便性を向上することができる。
【０１０３】
また、この実施形態では特に、タグラベルプリンタ３での無線タグラベルＴの作成が成功した場合には、装置側アンテナ２０６で読み取ったタグＩＤが、作成結果情報に組み込まれて作成指令テーブルに記憶される。したがって、結果要求指令がプリンタドライバＰＤに入力された後の作成指令テーブルでの検索及び作成状況とタグＩＤの抽出により、操作者は、無線タグラベルＴの作成時に読み取られたタグＩＤを取得することができる。
【０１０４】
また、この実施形態では特に、タグラベルプリンタ３での無線タグラベルＴの作成に失敗した場合には、その作成失敗を表す失敗ステータスを含む作成結果情報が作成指令テーブルに記憶される。したがって、結果要求指令がプリンタドライバＰＤに入力された後の作成指令テーブルでの検索及び作成状況の抽出により、操作者は、無線タグラベルＴの作成が失敗したことを確実に認識することができる。
【０１０５】
また、この実施形態では特に、各作成ジョブ（各作成指令）の印字データと書き込みデータとを互いに対応づけて格納した上記作成指令テーブル（データベース）を、操作端末２の大容量記憶装置１６に各アプリケーションプログラムＡＰごとに有している。これにより、印字データと書き込みデータとの対応関係を、各アプリケーションプログラムＡＰごとに明確に整理して格納することができる。またタグラベルプリンタ３側でなく操作端末２側に作成指令テーブルを設けることで、操作者によるテーブルのアクセスやデータ変更・再構築等の処理を迅速かつ容易に行うことができる。
【０１０６】
また、この実施形態では特に、操作端末２に備えられる複数のアプリケーションプログラムＡＰとして、固定資産管理用アプリケーションプログラム、名札管理用アプリケーションプログラム、文書管理用アプリケーションプログラムのうち、少なくとも１つ（この例では３つ全部）を含む。これにより、無線タグラベルＴを作成するときの典型的な３つの用途、すなわち固定資産管理用のラベル作成、名札用のラベル作成、書類やファイル等の文書管理用のラベル作成の少なくとも１つを、操作端末２の操作で円滑に行うことができる。
【０１０７】
また、以上において、印字及び無線タグ回路素子Ｔｏへのアクセス（読み取り又は書き込み）の終了した印字済みタグラベル用テープをカッタ２０７で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ２０７で切断しなくても、テープが排出口から排出されてきた後にラベル台紙（アクセス済みの無線タグ回路素子Ｔｏが備えられかつ対応する印字がなされたもの）のみをテープから剥がして無線タグラベルＴを作成しても良く、本発明はこのようなものに対しても適用できる。
【０１０８】
また、以上においては、無線タグ回路素子Ｔｏを備えたタグテープ１０３に備えられた被印字テープ層に印字を行う方式（貼りあわせを行わないタイプ）であったが、これに限られず、タグ媒体としてのタグテープとは別のカバーフィルム（被印字媒体）に印字を行ってこれらを貼り合わせる方式に本発明を適用してもよい。
【０１０９】
さらに、以上は、タグテープ２０３がリール部材の周りに巻回されてロールを構成し、カートリッジ２１０内にそのロールが配置されてタグテープ２０３が繰り出される場合を例にとって説明したが、これに限られない。タグ媒体としての、例えば、無線タグ回路素子Ｔｏが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグラベルプリンタ３側のカートリッジホルダに装着して、上記収納部から移送、搬送して印字及び書き込みを行いタグラベルを作成するようにしてもよい。
【０１１０】
さらには上記ロールを直接タグラベルプリンタ３側に着脱可能に装着する構成や、長尺平紙状あるいは短冊状のテープやシートをタグラベルプリンタ３外より１枚ずつ所定のフィーダ機構によって移送しタグラベルプリンタ３内へ供給する構成も考えられ、さらにはカートリッジ２１０のようなタグラベルプリンタ３本体側に着脱可能なものにも限られず、プリンタ側に着脱不能のいわゆる据え付け型あるいは一体型としてタグテープロール２０４を設けることも考えられる。この場合も同様の効果を得る。
【０１１１】
なお、以上において、図２〜図８等の各図中に示す矢印は信号の流れの一例を示すものであり、信号の流れ方向を限定するものではない。
【０１１２】
また、図１０等に示すフローチャートは本発明を上記フローに示す手順に限定するものではなく、発明の趣旨及び技術的思想を逸脱しない範囲内で手順の追加・削除又は順番の変更等をしてもよい。
【０１１３】
また、以上既に述べた以外にも、上記実施形態や各変形例による手法を適宜組み合わせて利用しても良い。
【０１１４】
その他、一々例示はしないが、本発明は、その趣旨を逸脱しない範囲内において、種々の変更が加えられて実施されるものである。
【図面の簡単な説明】
【０１１５】
【図１】本発明の一実施形態のタグラベル作成システム全体を表すシステム構成図である。
【図２】タグラベル作成システムの詳細機能を表す機能ブロック図である。
【図３】無線タグラベルに備えられた無線タグ回路素子の機能的構成の一例を表すブロック図である。
【図４】操作端末内における処理制御上の機能的構成の一例を表すブロック図である。
【図５】タグラベル作成システムにおいて無線タグラベルの作成を指示した際の主な情報の流れを概念的に説明する図である。
【図６】タグラベル作成システムにおいてタグラベルプリンタが無線タグラベルの作成に成功した際の主な情報の流れを概念的に説明する図である。
【図７】タグラベル作成システムにおいてタグラベルプリンタが無線タグラベルの作成に失敗した際の主な情報の流れを概念的に説明する図である。
【図８】タグラベル作成システムにおいてアプリケーションがプリンタドライバに対して作成結果を問い合わせた際の主な情報の流れを概念的に説明する図である。
【図９】プリンタドライバが管理する作成指令テーブルの一例を概念的に表す図である。
【図１０】操作端末のＣＰＵによって実行されるプリンタドライバの制御手順を表すフローチャートである。
【図１１】１つのアプリケーションと、図１０の制御手順を行うプリンタドライバと、タグラベルプリンタとの間で送受される各種信号の送受と制御動作の一例を表すシーケンス図である。
【図１２】２つのアプリケーションと、図１０の制御手順を行うプリンタドライバと、タグラベルプリンタとの間で送受される各種信号の送受と制御動作の一例を表すシーケンス図である。
【符号の説明】
【０１１６】
１                タグラベル作成システム
２                操作端末
３                タグラベルプリンタ（タグラベル作成装置）
１５０            ＩＣ回路部
１５１            タグ側アンテナ（タグアンテナ）
２０５            印字ヘッド（印字手段）
２０６            装置側アンテナ（情報送受信手段）
ＰＤ              プリンタドライバ
ＡＰ              アプリケーションプログラム
Ｔ                無線タグラベル
Ｔｏ              無線タグ回路素子
【図１】
2009294761.tif 000003
【図２】
2009294761.tif 000004
【図３】
2009294761.tif 000005
【図４】
2009294761.tif 000006
【図５】
2009294761.tif 000007
【図６】
2009294761.tif 000008
【図７】
2009294761.tif 000009
【図８】
2009294761.tif 000010
【図９】
2009294761.tif 000011
【図１０】
2009294761.tif 000012
【図１１】
2009294761.tif 000013
【図１２】
2009294761.tif 000014